Podtech/llm-jp-corpus-v4-ja_patent huggingface dataset:
(57)【要約】      （修正有）【課題】鮨の上下を逆にしなくても簡単に醤油をつけることができる鮨用の箸を提供する。【解決手段】箸本体１の下端底面２に凹部３を設け、凹部内側の凹部底面４近くから本体の側面に貫通する空気抜き穴５を設ける。下端底面をお皿の醤油に接触させると、凹部の中に醤油が溜まり、下端底面で鮨の具の表面をなぞると、凹部内の醤油が具の表面に出てくる。鮨の上下をひっくり返すことなく簡単に鮨の具に醤油をつけることができる。【選択図】図２
0003198904.tif 000002
【実用新案登録請求の範囲】
【請求項１】
本体の下端底面に少なくとも一つの凹部を有する箸。
【請求項２】
本体の下端底面に少なくとも一つの凹部を有し、前記凹部の内側の凹部底面近くから本体側面に貫通する空気抜き穴を有する箸。
【請求項３】
本体の下端底面に少なくとも一つの溝を有する箸。
【考案の詳細な説明】
【技術分野】
【０００１】  本考案は鮨用の箸に関する。
【背景技術】
【０００２】  握り鮨を従来の箸で食べる場合、鮨を箸で挟んでから鮨の上下を逆にして具を皿の醤油につける。箸の上部にスポイトを付けて調味料を押し出すものがある。（例えば、特許文献１参照。）
【先行技術文献】
【特許文献】
【０００３】
【特許文献１】  実用新案登録第３０７９８８０号公報
【考案の概要】
【考案が解決しようとする課題】
【０００３】  従来の箸で握り鮨を食べる時、具に醤油をつけるために、鮨を箸で挟んでから上下を逆にする。このとき具がすし飯から離れて落ちてしまうことがある。【０００４】  本考案は、握り鮨を食べる際に、鮨の上下を逆にしなくても簡単に醤油をつけることができる簡単な構造の箸を提供することを目的とするものである。
【課題を解決するための手段】
【０００５】  本考案は上記目的を達成するために、箸の下端底面に凹部を設けてある。更に凹部内側の凹部底面近くから本体の側面に貫通する空気抜き穴を設けてあるものもある。
また、凹部の代わりに箸の下端底面に溝を設けてあるものもある。
お皿の中の醤油に箸の下端底面の凹部又は溝を接触させると、凹部内又は溝内に醤油が入り込む。この凹部又は溝を鮨の具の表面に接触させると、凹部又は溝の中の醤油が具の表面に出てきて付着する。
【考案の効果】
【０００６】  上述したように本考案の箸を使用すると、握り鮨をたべるときに、箸の先端をお皿の醤油に触れ、その先端を鮨の具に触れるだけで醤油をつけることが簡単にできる。更に醤油をつけるために鮨の上下をひっくり返すという煩わしい動作をなくすことができ、鮨の具がすし飯から落ちてしまうこともなくなるという効果がある。更に構造が簡単なので安価に製造できる。
【図面の簡単な説明】
【０００７】
【図１】本考案の請求項１の実施形態を示す斜視図である。
【図２】本考案の請求項２の実施形態を示す斜視図である。
【図３】本考案の請求項３の実施形態を示す斜視図である。
【考案を実施するための形態】
【０００８】  以下、本考案の実施形態を図１〜図３に基づいて説明する。
【０００９】  図１においては箸本体１の下端底面２に凹部３が設けられている。
【００１０】  この箸の使い方を説明する。
まず箸本体１の下端底面２をお皿の中の醤油に接触させる。醤油が凹部３の内部に溜まり、下部底面２で鮨の具の表面をなぞると具の表面に凹部３の中の醤油が具の表面に出てくる。こうすることで、鮨に醤油をつける際に鮨を上下に引っくり返す必要がなくなり、具が鮨飯から落ちることもなくなる。
【００１１】  図２においては箸本体１の下端底面２に凹部３が設けられている。凹部３の内側の底面４の近くに空気抜き穴５が設けられている。空気抜き穴５は凹部３の内側の凹部底面４の近くから本体１の側面まで貫通している。
凹部３の中に醤油が入る時、凹部３の中の空気が醤油の侵入を妨げないようにするために空気抜き穴５を通じて空気を外に逃がす。
この箸の使い方は図１の実施形態の場合と同じである。
【００１２】  図３においては箸本体１の下端底面２に溝６が設けられている。下端底面２をお皿の中の醤油に接触させると醤油が溝６の内部に溜まり、下部底面２で鮨の具の表面をなぞると具の表面に溝６の間に溜まっている醤油が出てくる。
この箸の使い方は図１の実施形態の場合と同じである。
【符号の説明】
【００１３】１  本体
２  下端底面
３  凹部
４  凹部底面
５  空気抜き穴
６  溝
【図１】
0003198904.tif 000003
【図２】
0003198904.tif 000004
【図３】
0003198904.tif 000005
(57)【要約】      （修正有）【課題】２４個の３５０ｍｍリットル缶を整理収納や展示できる積み重ね缶収納ラックを提供する。【解決手段】左フレーム１と右フレーム２及び背面フレーム３と積み重ね用のコ字型の脚を２箇所設置した底面フレーム４がありフレーム内に挿入用の上段レール５と中段レール６および取り出し用の下段レール７を設置した。【選択図】図１
0003198971.tif 000002
【実用新案登録請求の範囲】
【請求項１】
左フレームと右フレーム及び背面フレームと積み重ね用のコ字型の脚２箇所設置した底面フレームがありフレーム内に挿入用の上段レールと中段レールおよび取り出し用の下段レールを設置した積み重ね缶収納ラック。
【考案の詳細な説明】
【技術分野】
【０００１】
本考案は収納の分野でキッチンやリビング及びスーパー等の売り場で１ケース24個の350ｍｍリットルのジュース缶やビール缶等を整理収納や展示できる缶収納ラックに関するものである。
【０００２】
従来から家庭用の冷蔵庫内で使用できる缶収納ラックがあった。
【考案の概要】
【考案が解決しようとする課題】
【０００３】
(１)従来の物は家庭用の冷蔵庫内で使用する最大8個の350ｍｍリットル缶収納用のためスーパー等の売り場で販売の１ケース２４個の収納に対応できない上、積み重ねもできない。
(２)従来４個収納のレールが２段設置されていたところを８個収納できるレールを３段設置し２４個収納できる構造とし、下部フレームにコ字形の脚を２箇所設置し積み重ねを可能にした。
【課題を解決するための手段】
【０００４】
従来の物は４個収納のレールが２段設置され３５０ｍｍリットル缶を最大８個収納用のためスーパー等の売り場で販売の１ケース２４個の収納に対応できない上、積み重ねもできない。
本考案は８個収納できるレールを３段設置し２４個収納できる構造とし、下部フレームにコ字型の脚を２箇所設置し積み重ねを可能にした。。
本考案はこれ等の問題点を解決する為に考案された物である。
【考案の効果】
【０００５】
８個収納のレールを３段設置し２４個収納できる構造とし、下部フレームにコ字形の脚を２箇所設置することにより積み重ねを可能にした。
【図面の簡単な説明】
【０００６】
【図１】正面図
【図２】左側面図
【図３】右側面図
【図４】説明図
【図５】従来の物の図及び今回考案の物の図
【図６】今回考案の積み重ねの図
【考案を実施するための形態】
【０００７】
（図1）正面図
（図2）左側面図
（図３）右側面図
（図1〜3の符号）
１左フレーム
２右フレーム
３背面フレーム
４底面フレーム
５上段レール
６中段レール
７下段レール
【符号の説明】
【０００８】
１左フレーム
２右フレーム
３背面フレーム
４底面フレーム
５上段レール
６中段レール
７下段レール
【図１】
0003198971.tif 000003
【図２】
0003198971.tif 000004
【図３】
0003198971.tif 000005
【図４】
0003198971.tif 000006
【図５】
0003198971.tif 000007
【図６】
0003198971.tif 000008
(57)【要約】      （修正有）【課題】排泄物を素早く吸収させることにより臭気を抑え、より衛生的かつ快適に使用することができるポータブルトイレ用の吸水パックを提供する。【解決手段】吸水ポリマーシートの紙パルプに消臭材および脱臭材を予め織りこませることで、吸水ポリマーシート全体に消臭・脱臭効果を持たせ、吸水パックの袋体１下部を斜めにカットすることで六角形の形とし、袋体１内側に熱圧着により備え付けられた吸水体３に排泄物が集中することで、排泄物を素早く吸収させ、臭気の発生を抑制し、利用者や介助者のストレスを軽減することができる。【選択図】図１
0003198456.tif 000002
【実用新案登録請求の範囲】
【請求項１】
高分子ポリマーと消臭材および脱臭材を織りこんだ吸水力の高い綿状パルプからなる吸水ポリマーシートを、不織布で包んでシート状にした吸水体とし、吸水体の周囲をポリエチレン製の袋体の内部に熱圧着し、バケツなどポータブルトイレの汚物受容体の中に設置して使用する吸水パック。
【請求項２】
袋体下部を斜めにカットすることで六角形の形とし、袋内側に熱圧着により備え付けられた吸水体に排泄物が自然に集まるようにすることで、排泄物を素早く吸収することを可能とした請求項1に記載した吸水パック。
【請求項３】
請求項１において上記記載の消臭材として茶カテキン含む茶葉を用いることにより、排泄物の臭気を消臭することを特徴とする吸水パック。
【請求項４】
請求項1において上記記載の脱臭材として活性炭を用いることにより、排泄物の臭気を脱臭する効果を特徴とする吸水パック。
【請求項５】
請求項1において請求項3の消臭材及び請求項4の脱臭材の2種類を同時に吸水ポリマーシートに織り込むことで消臭および脱臭の２つの効果を持たせることにより、それぞれ単体で用いるよりも、さらなる臭気の発生を抑制することが可能な吸水パック。
【考案の詳細な説明】
【技術分野】
【０００１】
本考案は、高齢者や被災時のポータブルトイレ使用時の課題である臭気を解決する吸水パックに関したものである。
【背景技術】
【０００２】
自立を望む高齢者や、被災時の簡易トイレとして有効なポータブルトイレだが、便座下に備え付けられたバケツに直接排泄を行うため、排泄物の処理や臭気については課題が多い。特に臭気の問題は深刻で、ポータブルトイレを使用する家屋に入った途端、尿の臭気が感じられる場合が多く、使用者はもとより、家族や介護ヘルパーにとっても多大なストレスとなる。
【考案の概要】
【考案が解決しようとする課題】
【０００３】
従来の吸水パックはポリマーに水分を吸収させて凝固するタイプと、薬剤を散布して凝固させるタイプに大別されるが、消臭機能に特化したものはなく、使用後に消臭剤を散布する程度にとどまっている。そのため、別途消臭剤が必要となるため費用面での負担も大きい。
【課題を解決するための手段】
【０００４】
上記目的を達成するために、吸水ポリマーシートに消臭材および脱臭材を混一させ、消臭および脱臭効果を追加する。その効果を均等にもたらすよう、紙パルプに消臭材と脱臭材を予め織りこみ、シート全体に消臭および脱臭効果を持たせることで、別途消臭剤を購入する必要がなくなり費用面の負担が軽減される。吸水パックの袋体下部を斜めにカットすることで六角形の形とし、袋内側に熱圧着により備え付けられた吸水体に排泄物が集中することで、排泄物を素早く吸収させることにより臭気を抑え、より衛生的かつ快適に使用することができる。
【考案の効果】
【０００５】
本考案の消臭および脱臭効果を持つ吸水パックは、利用者あるいは介護者の精神的負担を軽減するとともに利用者の残存機能を保つ効果が期待できる。
【図面の簡単な説明】
【０００６】
【図１】吸水パック平面図及び吸水パック断面図である。
【図２】吸水体平面図及び吸水体断面図である。
【図３】汚物受容体斜視図である。
【図４】吸水パックを汚物受容体に設置した状態の側面図及び断面図である。
【考案を実施するための形態】
【０００７】
本考案は請求項1の通り、高分子ポリマーと消臭材および脱臭材を織りこんだ吸水力の高い綿状パルプからなる吸水ポリマーシートを、不織布で包んでシート状にした吸水体とし、吸水体の周囲をポリエチレン製の袋体の内部に熱圧着しているので、使用時に素早く尿を吸水し、また、消臭および脱臭効果のある吸水体が尿を吸水することで臭気の発生を防ぐことができるので、快適で、且つ衛生的な環境でバケツやポータブルトイレを使用することができる。介護用として、或いはアウトドアや災害などによる断水時といった際にも簡易トイレとして活用することも可能である。尚、袋体内部への固定は熱圧着に限らず、例えば両面テープなどでもよい。
【０００８】
さらに、請求項4の考案は吸水ポリマーシートに脱臭材を織り込むことにより、吸水ポリマーシート全体に脱臭効果を持たせることが可能となり、使用者及び取扱者の臭気に対する悩みを解決することができる。
【０００９】
加えて、請求項5の考案は請求項3の消臭材及び請求項4の脱臭材の2種類を同時に吸水ポリマーシートに織り込むことで消臭および脱臭の２つの効果を持たせることにより、それぞれ単体で用いるよりも、さらなる臭気の発生を抑制することが可能となり、使用者及び取扱者の臭気に対する悩みを解決することができる。
【００１０】
請求項２の考案は、袋体下部を斜めにカットすることで六角形の形とし、袋体内側に熱圧着により備え付けられた吸水体に排泄物が自然に集まるようにすることで、排泄物を素早く吸収をすることを可能にしたことにより、使用者及び取扱者が衛生的かつ快適に使用することができる。
【符号の説明】
【００１１】
１  袋体
２  袋体と吸水体の熱圧着部
３  吸水体
４  不織布
５  消臭材および脱臭材を織り込んだ吸水ポリマーシート
【図１】
0003198456.tif 000003
【図２】
0003198456.tif 000004
【図３】
0003198456.tif 000005
【図４】
0003198456.tif 000006
(57)【要約】      （修正有）【課題】医療などで使用する尿バックに付随する輸尿管の開閉状態とタイマーが連動し、輸尿管の状態を知らせるアラーム付輸尿管開閉装置を提供する。【解決手段】硬質の板状部材に、軟性の輸尿管３を閉鎖する為に設けたスリット形状の穴と、軟性の輸尿管３を開放する為に設けたスリット形状の穴に連続する軟性の輸尿管３の外径より大きい穴を設け、スイッチ５を含む電子回路６を収められる構造を成す筐体と、その筐体内部に輸尿管３の閉鎖、開放状態を感知すべく取り付けたスイッチ５の動作に連動するタイマー、音、光を発生する電子回路６を組み込んだことを特徴とする。【選択図】図２
0003198493.tif 000002
【実用新案登録請求の範囲】
【請求項１】
（１）主に尿バック一式１の輸尿管３を開閉する機能を持ち、輸尿管３の開閉と連動しタイマーが始動する。その後設定時間が過ぎても輸尿管３の閉鎖状態を解除しない場合、音や光または、その両方で輸尿管３の開閉状態を知らせるための電気的構造を持つ装置。
【考案の詳細な説明】
【詳細な説明】
【医療分野】
【０００１】本案は、医療で用いる尿バック一式１等に付随する器具の輸尿管開閉具２を本装置に置き換えることで医療事故を減らすことを目的とした装置である。導尿を必要とする患者に使用している尿バック一式１に付随する一部品で、医療上の手技のため一時的に輸尿管３を開閉することが行われている。その輸尿管３を開閉する輸尿管開閉具２と同等の機能を持ち、開閉状態とタイマーが連動する機構で、輸尿管３の状態を知らせる機能を付けた装置である。
【背景技術】
【０００２】従来のものは、輸尿管開閉具２で、ただ輸尿管３を圧迫及び開放することで尿をせき止めたり流したりする目的だけに作られて、開閉の状態を知らせる機能は付いていない。医療現場では、必要に応じ輸尿管３を閉鎖することがある。しかし、うっかり長時間閉めたまま放置してしまうことがあり、そのため尿バック１を装着された患者が多大な悪影響を受けかねない状態にある。医療事故につながる恐れがある。
【考案が解決しようとする課題点】
【０００３】この考案は、［０００２］［従来の技術］で記した弊害をなくすために開発したものである。
【課題の解決手段】
【０００４】輸尿管開閉具２で輸尿管３を開閉したとき、それに連動して輸尿管３の状態を感知すると同時にタイマー機構が働き、設定時間が過ぎても解除されない場合、音や光または、その両方で知らせるための電子回路６を付加し報知すればよい。
【作用】
【０００５】アラーム付輸尿管開閉装置４にて、輸尿管３を閉じた状態にするとスイッチ５が動作してタイマーが始動する。輸尿管３を開閉することでタイマーが連動することがもっとも重要である。これが連動しなければ、単なるタイマーになってしまう。設定時間を過ぎてもスイッチ５が解除されない時アラームが鳴る仕組みである。またスイッチ５は、輸尿管３の開閉状態を感知することが出来れば、機械的なものや光センサーなどでもよい。その他光を発する部品８などを設け、アラーム付輸尿管開閉装置４で輸尿管３を閉じると点灯し動作確認ができたり、必要ならば、タイマーの時間設定が自由に変えられるようにもできる。尿バック一式１は使い捨てであるが、アラーム付輸尿管開閉装置４は何度でも使用できるため、防水加工を施し、アルコール消毒、塩素消毒等が行えるようにすることで、衛生的に使用することもできる。このアラーム付輸尿管開閉装置４は、スライド開閉方式や挟み込み開閉方式にも組み込むことができる。また、電池駆動なので電池１０の状態も監視できる機能を持たせ、電池切れによる事故をなくす事も容易である。しかし、機器であるための故障による誤動作などはこの限りでない。
【実施例】
【０００６】尿バック一式１の一部品としてだけでなく、一時的にカテーテルなどの管を閉鎖し、それを忘れないようにするための閉鎖具としても代用することができる。
【発明の効果】
【０００７】このアラーム付輸尿管開閉装置４を使うことにより、輸尿管３の開放することを、うっかり忘れることが無くなり、尿路感染症などの患者に多大な悪影響を及ぼす医療事故が無くなる。
【図面の簡単な説明】
【０００８】
【図１】尿バック一式１の説明図
【図２】スライド式アラーム付開閉装置４の内部構造図
【図３】挟み込み式アラーム付開閉装置の概観図
【符号の説明】
【０００９】１は尿バック一式全体２は輸尿管開閉具３は輸尿管４はスライド式のアラーム付開閉装置４５はスイッチ（機械的なものや光センサーなど）６は電子回路（マイクロコンピュータなど使用する場合は、制御ソフトも含む）７は光を発生する部品。視覚認識がいらなければ、無くてよい。８は電気的に音を発生する部品。聴覚認識がいらなければ、無くてよい。  しかし、７または８必ずどちらか必要で、７，８両方あってもよい。９は設定時間を可変するために付加した部品。設定時間固定ならば無くてもよい。１０は電池１１は防水膜（機械的スイッチの場合、設けたほうがよい）１２は補助版（機械的なもに使用するが、スイッチ４を確実に押すための補助で無くてもよい。）
【図１】
0003198493.tif 000003
【図２】
0003198493.tif 000004
【図３】
0003198493.tif 000005
【手続補正書】
【提出日】平成27年2月9日(2015.2.9)
【手続補正１】
【補正対象書類名】実用新案登録請求の範囲
【補正対象項目名】全文
【補正方法】変更
【補正の内容】
【実用新案登録請求の範囲】
【請求項１】
輸尿管開閉具（２）または、図面３の形状の輸尿管（３）を閉鎖する部分に、スイッチ（５）とタイマー等を構成する電子回路（６）光を発生する部品（７）音を発生する部品（８）などを組み合わせたアラーム付輸尿管開閉装置。
【手続補正書】
【提出日】平成27年4月13日(2015.4.13)
【手続補正１】
【補正対象書類名】実用新案登録請求の範囲
【補正対象項目名】全文
【補正方法】変更
【補正の内容】
【実用新案登録請求の範囲】
【請求項１】
硬質の板状部材に、軟性の輸尿管（３）を閉鎖する為に設けたスリット形状の穴と、軟性の輸尿管（３）を開放する為に設けたスリット形状の穴に連続する軟性の輸尿管（３）の外径より大きい穴を設け、スイッチ（５）を含む電子回路（６）を収められる構造を成す筐体と、その筐体内部に輸尿管（３）の閉鎖、開放状態を感知すべく取り付けたスイッチ（５）の動作に連動するタイマー、音、光を発生する電子回路（６）を組み込んだことを特徴とするアラーム付輸尿管開閉装置。
【請求項２】
硬質の板状部材に、軟性の輸尿管（３）を閉鎖する為に設けたスリット形状の穴と、軟性の輸尿管（３）を開放する為に設けたスリット形状の穴に連続する軟性の輸尿管（３）の外径より大きい穴を設け、スイッチ（５）を含む電子回路（６）を収められる構造を成す筐体を、２つの硬質の板状部材の片端を結合し、支点として可動する構造にし、その部材の支点と反対の端に、２つの部材を引っ掛けて留めたり離したりするフックを施し、軟性の輸尿管（３）を開閉するハサミ機構を成した筐体に代えた［請求項１］記載のアラーム付輸尿管開閉装置。
(57)【要約】      （修正有）【課題】圧縮器において、空き缶を潰す際、足に怪我を負う懸念がなく、騒音が低く抑えられ、クラッシュ缶もかさばったり、綺麗に潰れなかったりする事がないアルミ空き缶圧縮器を提供する。【解決手段】物品の形状は幅１６０ｍｍ奥行１６０ｍｍ高さ４１０ｍｍの木製のボックスであり、上蓋、本体、中間可動板、ギヤ式ボトルジャッキで物品を構成し構成要素相互の関係は本体上部に取り付けたアングル蝶番２箇所に連結した上蓋を開閉しアルミ空き缶をボックス内部中間の位置に設置した中間可動板の上に置き上蓋を閉め掛金を掛け固定し本体下部の底板と中間可動板の間に設置したギヤ式ボトルジャッキのフックに操作口より専用のシャフトとレバーハンドルを連結しそのハンドルを廻す事で生じるシリンダーの上下の運動作用によりアルミ空き缶を垂直方向に押し潰す事を特徴とする。【選択図】図１
0003198491.tif 000002
【実用新案登録請求の範囲】
【請求項１】
本考案はアルミ空き缶圧縮器において、手動のギヤ式ボトルジャッキを採用した唯一のものである。
【請求項２】
本考案は空き缶を円形状のまま３５０ｍｌ缶であれば高さ１５ｍｍ５００ｍｌ缶ならば２５ｍｍに、極めてコンパクトに圧縮が可能である。
【考案の詳細な説明】
【技術分野】
【０００１】  本考案はアルミ空き缶を圧縮し、リサイクルに供するための道具に関する。
【背景技術】
【０００２】  従来の器具は上部から足の力で、空缶を立て器具と共に潰したり、梃子の原理を利用した器具で、空缶を横にはさみ潰したりする製品がある。
【先行技術文献】
【非特許文献】
【０００３】
【非特許文献１】楽天市場で検索  （株）タケダ  缶クラッシャー「かえる君」
【非特許文献２】楽天市場で検索  尾上製作所  空缶つぶし器「つぶすくん」
【考案の概要】
【考案が解決しようとする課題】
【０００４】  従来の器具は空き缶を潰す際，足に怪我を負う懸念があり，騒音が発生する恐れもある。クラッシュ缶もかさばったり、綺麗に潰れなかったりする事も考えられる。
【課題を解決するための手段】
【０００５】  本考案はギヤ式ボトルジャッキを使用し、手動のハンドルを廻し空き缶を徐々に潰していく。
【考案の効果】
【０００６】  本考案は怪我を負う懸念もなく、周囲に迷惑となる騒音も発生しない。空き缶は円形状のまま３５０ｍｌ缶なら高さ１５ｍｍ・５００ｍｌ缶なら２５ｍｍに極めてコンパクトに圧縮が可能である。従って小スペースで、多量のクラッシュ缶をリサイクルに供することができる。
【図面の簡単な説明】
【０００７】  本図面は第３角投影法にて作成
【図１】側面断面図  ボックス内部の形状を表し、下部ジャッキ・中間可動板・アルミ缶・上蓋・アングル蝶番・掛金などの位置や状態を表示
【図２】正面図  ボックス外部の形状を表し、ジャッキ操作口・中間可動板・掛金などの位置や状態を表示
【図３】平面断面図  ボックス内部の形状を表示
【考案を実施するための形態】
【０００８】上記の［図面の簡単な説明］によるボックス
［実施例］別紙写真を参照
0003198491.tif 000003
【手続補正書】
【提出日】平成26年11月13日(2014.11.13)
【手続補正１】
【補正対象書類名】実用新案登録請求の範囲
【補正対象項目名】全文
【補正方法】変更
【補正の内容】
【実用新案登録請求の範囲】
【請求項１】
アルミ空き缶を木製ボックス内中間可動板の上に置き蓋を閉め掛金を掛けボックス下部に設置をしたギヤ式ボトルジャッキのハンドルをまわす事により空き缶を潰すことを特徴とするアルミ空き缶圧縮器。
【請求項２】
構造的にはギヤ式ボトルジャッキのシリンダーの上下の運動作用によりボックス内のアルミ空き缶を縦方向に圧縮する
形態的には上記の作用を実現する為に下部にジャッキ中間可動板を挟み上部にアルミ空き缶を収納するボックスを考案。
【手続補正２】
【補正対象書類名】図面
【補正対象項目名】全図
【補正方法】変更
【補正の内容】
【図１】
0003198491.tif 000004
【図２】
0003198491.tif 000005
【図３】
0003198491.tif 000006
【手続補正書】
【提出日】平成27年2月12日(2015.2.12)
【手続補正１】
【補正対象書類名】実用新案登録請求の範囲
【補正対象項目名】全文
【補正方法】変更
【補正の内容】
【実用新案登録請求の範囲】
【請求項１】
物品の形状は幅１６０ｍｍ奥行１６０ｍｍ高さ４１０ｍｍの木製のボックスである  上蓋・本体（正面板＋背板＋両側板＋底板）・中間可動板・ギヤ式ボトルジャッキ等で物品を構成する  構成要素相互の関係は本体上部に取り付けたアングル蝶番２箇所に連結した上蓋を開閉しアルミ空き缶をボックス内部中間の位置に設置した中間可動板の上に置き上蓋を閉め掛金を掛け固定する  次に本体下部の底板と中間可動板の間に設置したギヤ式ボトルジャッキのフックに操作口より専用のシャフト＋レバーハンドルを連結しハンドルを廻す事で生じるシリンダーの上下の運動作用によりアルミ空き缶を垂直方向に押し潰す事を特徴とするアルミ空き缶圧縮器
【手続補正書】
【提出日】平成27年4月3日(2015.4.3)
【手続補正１】
【補正対象書類名】実用新案登録請求の範囲
【補正対象項目名】全文
【補正方法】変更
【補正の内容】
【実用新案登録請求の範囲】
【請求項１】
物品の形状は幅１６０ｍｍ奥行１６０ｍｍ高さ４１０ｍｍの木製のボックスであり上蓋、本体、中間可動板、ギヤ式ボトルジャッキで物品を構成し構成要素相互の関係は本体上部に取り付けたアングル蝶番２箇所に連結した上蓋を開閉しアルミ空き缶をボックス内部中間の位置に設置した中間可動板の上に置き上蓋を閉め掛金を掛け固定し本体下部の底板と中間可動板の間に設置したギヤ式ボトルジャッキのフックに操作口より専用のシャフトとレバーハンドルを連結しそのハンドルを廻す事で生じるシリンダーの上下の運動作用によりアルミ空き缶を垂直方向に押し潰す事を特徴とするアルミ空き缶圧縮器
(57)【要約】      （修正有）【課題】殺虫成分を、一切使用せず、カメムシを捕獲する袋であり、カメムシの発する悪臭と、その拡散を、カメムシと一緒に袋の中に封じ込むことができ捕獲後は、手などを汚すことなく、そのまま、袋ごとゴミ箱に簡単に捨てることができる、チャック付カメムシ捕獲袋を提供する。【解決手段】チャック付カメムシ捕獲袋１は、ナイロンや、ポリエチレン，紙の材質で、できている袋、または箱状のものであり、チャックやジッパー，蓋の密閉機構が、付いており、このチャック部２や蓋を閉じることにより、捕獲袋の中を密閉状態に、できるもので、紙や棒状または、板状のもので、地上では動きの鈍い、カメムシを、捕獲袋の中に静かに押し入れ、その後、チャック部や蓋を閉じて捕獲袋の中を、密閉状態にすることにより、カメムシと、一緒に、カメムシの発する悪臭とその拡散を、封じ込むことができる。【選択図】図１
0003198496.tif 000002
【実用新案登録請求の範囲】
【請求項１】
本考案の、チャック付カメムシ捕獲袋は、ナイロンやポリエチレン、紙などの材質で、できている袋、または箱状のものであり、この捕獲袋には、チャックやジッパー，蓋などの密閉機構が、１ヶ所または、２ヶ所以上、付いており、チャック部や蓋を、閉じることにより捕獲後の中を密閉状態に、することが、できることを特徴と、するものである。
【請求項２】
本考案の、チャック付カメムシ捕獲袋の材質や形状，サイズ，色および密閉機構の構造などに、ついては限定するものでは、ない。
【請求項３】
カメムシを、チャック付カメムシ捕獲袋の中に、押し入れるための、紙や棒状または、板状のものについては、形状，材質などを限定するものでは、ない。
【請求項４】
本考案の、チャック付カメムシ捕獲袋で、捕獲するものは、カメムシ類に限定るものでは、ない。
【考案の詳細な説明】
【技術分野】
【０００１】本考案は、カメムシを捕獲する際，カメムシと一緒に、カメムシの発する悪臭と、その拡散を封じ込むことが、できるチャック付カメムシ捕獲袋である。
【背景技術】
【０００２】カメムシ類は、日本全国どこにでも生息しており、秋になると越冬のため、家屋などの隙間や割れ目，日当りの良い場所を求めて飛来し，悪臭を放つ。
この悪臭は、敵の攻撃など、外部からの刺激を受けると分泌される。これは、捕食者に対しての防御であると考えられており、衣類や、手などに付くと洗ってもなかなか取れないことから、カメムシを捕獲する際には、悪臭を分泌させることなく捕獲することが望まれる。【０００３】一般的に知られている、カメムシの捕獲方法としては、例えば、ティシュペーパーや、ガムテープを使用する方法や、ペットボトルに薄めた洗剤を入れ、そこに、カメムシを落とす方法などが知られている。【０００４】また、カメムシ駆除商品としては、カメムシ殺虫剤や、凍結駆除スプレー，くん煙，などが、市販されている。
【考案の概要】
【考案が解決しようとする課題】
【０００５】しかし、ティシュペーパーや、ガムテープ、または、ペットボトルを使用しての捕獲方法では、カメムシが発する悪臭を、分泌させることなく、捕獲することは難しく、またペットボトルの場合には、捕獲するための準備や捕獲後の処理に手間が掛々り面倒でもある。また、市販されている、カメムシ駆除商品は、ほとんどが、殺虫成分を、使用していることから衛生面や安全性に欠ける。【０００６】そこで、殺虫成分を、一切、使用せず、なおかつ、カメムシの発する悪臭を分泌させることなく、カメムシを簡単に捕獲できることが望まれている。
【問題を解決するための手段】
【０００７】本考案は、殺虫成分を、一切、使用せず、カメムシを捕獲袋の中に捕獲し、カメムシの発する悪臭と、その拡散を、カメムシと一緒に封じ込むことが、できる、チャック付カメムシ捕獲袋である。
【０００８】本考案の、チャック付カメムシ捕獲袋は、ナイロンや、ポリエチレン，紙などの材質で、できている袋または、箱状のものであり、この捕獲袋には、チャックやジッパー，蓋などの密閉機構が付いており、チャック部や、蓋を閉じることにより、捕獲袋の中を密閉状態にすることが、できることを特徴とするものである。
【０００９】紙や棒状または、板状のもので、チャック付カメムシ捕獲袋の中に、地上では動きの鈍い、カメムシを静かに押し入れ、その後、チャックを閉じて捕獲袋の中を密閉状態にすることにより、カメムシと一緒に、カメムシの発する悪臭と、その拡散を封じ込むものであり、捕獲後は、そのまま、ゴミ箱に捨てることが、できる。
【考案の効果】
【００１０】本考案の、チャック付カメムシ捕獲袋は、殺虫成分を、一切、使用せず、カメムシを捕獲するもので、捕獲後に、チャック部や蓋を閉じて捕獲袋の中を密閉状態にすることにより、カメムシと、一緒に、カメムシの発する悪臭と、その拡散を、封じ込むことができる。
【００１１】また、捕獲後は、手などを汚すことなく、そのまま捕獲袋ごと、ゴミ箱に簡単に捨てることが、できる。
【考案を実施するための形態】
【００１２】本考案の、チャック付カメムシ捕獲袋の、使用方法について図面に基づいて設明するが、方法については、この設明や手順に限定されるものでは、ない。
【００１３】チャック付カメムシ捕獲袋１と、カメムシを捕獲袋の中に押し入れるための紙や、棒状または、板状のものを用意する。
【００１４】チャック部２が、閉じていたら、入口部６を指で広げ、閉じているチャック部２を広く。
【００１５】捕獲袋の、中心部に向かって、４，５の、２ヶ所を指で軽く押し、チャック部２と、入口部６を、大きく広げ、カメムシの側に静かに持っていく。
【００１６】用意していた紙や棒状または、板状のもので、地上では動きの鈍い、カメムシを、捕獲袋の中に静かに押し入れる。
【００１７】捕獲袋１の中に、カメムシが入ったことを確認後、チャック部２を閉じる。
【００１８】捕獲後は、そのまま、捕獲袋ごと、ゴミ箱に捨てる。
【図面の簡単な説明】
【００１９】
【図１】（ａ）は、本考案のチャック付カメムシ捕獲袋１の、斜視図である。（ｂ）は、捕獲袋１の、４・５の、２ケ所を、中心部に向かって押し、チャック部２と入口部６を、広いた状態の斜視図である。（ｃ）は、入口部６に、切込み３を入れ、障子や壁・床などの平面部に、入口部６を、押し当てた時、入口部６が平面部に、ならうようにした形状の斜視図である。（ｄ）は、入口部６を、大きくした形状の斜視図である。（ｅ）は、捕獲袋１に、チャック部２を、２ヶ所、設けた形状の斜視図である。
【符号の設明】
【００２０】１  ‥‥  チャック付カメムシ捕獲袋
２  ‥‥  チャック部
３  ‥‥  切り込み
４・５‥‥チャック部を、中心部に向かって指で押す、ケ所
６  ‥‥  入口部
【図１】
0003198496.tif 000003
【手続補正書】
【提出日】平成27年4月9日(2015.4.9)
【手続補正１】
【補正対象書類名】実用新案登録請求の範囲
【補正対象項目名】全文
【補正方法】変更
【補正の内容】
【実用新案登録請求の範囲】
【請求項１】
ナイロンや、ポリエチレンや、紙で、できている袋または、箱状の、ものであり、チャックや、ジッパーや、蓋の密閉機構が付いており、このチャックや、ジッパーや蓋を閉じることにより、中を密閉状態に、することが、できることを、特徴とするカメムシ捕獲袋。
(57)【要約】      （修正有）【課題】従来のＬＥＤ非常信号灯をさらに改良したものであって、片手で握持出来てスイッチのＯＮ、ＯＦＦが出来、また点滅、点灯などの操作をすることが出来、しかも大型の非常信号灯に匹敵する明るさで発光でき、さらには底面にマグネットが付いていて、車両やガードレールに保持することがが出来るなど優れた利点を有する非常信号灯を提供する。【解決手段】円柱状をなす握り部１と、握り部１の先端に設けられた握り部１の径より大径円柱状に形成した発光部２と、握り部１後端面に設けられた磁石部３とを備え、握り部１内には、電源部と電源部からの電力で作動する電気回路と、電気回路をＯＮ、ＯＦＦすると共に、作動切り替えするスイッチ部とを有し、握り部１外周面にはスイッチ部を操作する押圧操作部５を設けたことを特徴とする。【選択図】図１
0003198471.tif 000002
【実用新案登録請求の範囲】
【請求項１】
円柱状をなす握り部と、該握り部の先端に設けられた前記握り部の径より大径円柱状に形成した発光部と、握り部後端面に設けられた磁石部とを備え、
握り部内には、電源部と電源部からの電力で作動する電気回路と、電気回路をＯＮ、ＯＦＦすると共に、作動切り替えするスイッチ部とを有し、
握り部外周面には前記スイッチ部を操作する押圧操作部を設けた、
ことを特徴とする非常信号灯。
【考案の詳細な説明】
【技術分野】
【０００１】
本考案は、片手で握持出来て点滅、点灯などの操作をすることが出来、しかも大型の非常信号灯に匹敵する明るさで発光できる非常信号灯に関するものである。
【背景技術】
【０００２】
従来より、各種車両には発煙筒の常備が義務づけられている。
しかし、近年、前記発煙筒に替わり、コンパクトで取り扱いが簡単な非常信号灯、特に消費電力が通常の電灯より少なく、また耐久性に優れたＬＥＤ型非常信号灯が広く使用されている。
いわゆる「ＬＥＤの発炎筒」とも言われており、例えば、単４電池２本で動作する。そして、該ＬＥＤの非常信号灯は車検対応品でもあり、近年では、発炎筒を破棄して、このＬＥＤの非常信号灯だけを積んだ状態で車検をうけ、車検を通過しているのが現状である。
【０００３】
ここで、ＬＥＤ非常信号灯を使うメリットとしては、電池さえ交換すれば半永久的に使用できる。また、約２０時間程度の長時間使用が可能である。なお、発炎筒の場合は通常使用できる時間は５分程度、高速道路工事用であっても１５分程度である。
また、ＬＥＤ非常信号灯は、煙が出ず、その取り扱いもきわめて簡単である。
【先行技術文献】
【特許文献】
【０００４】
【特許文献１】特開平１０―２９１４３９号公報
【考案の概要】
【考案が解決しようとする課題】
【０００５】
かくして、本考案は、前記従来のＬＥＤ非常信号灯をさらに改良したものであって、片手で握持出来てスイッチのＯＮ、ＯＦＦが出来、また点滅、点灯などの操作をすることが出来、しかも大型の非常信号灯に匹敵する明るさで発光でき、さらには底面にマグネットが付いていて、車両やガードレールに保持することが出来るなど優れた利点を有する非常信号灯を提供することを目的とするものである。
【課題を解決するための手段】
【０００６】
本考案は、円柱状をなす握り部と、該握り部の先端に設けられた前記握り部の径より大径円柱状に形成した発光部と、握り部後端面に設けられた磁石部とを備え、
握り部内には、電源部と電源部からの電力で作動する電気回路と、電気回路をＯＮ、ＯＦＦすると共に、作動切り替えするスイッチ部とを有し、
握り部外周面には前記スイッチ部を操作する押圧操作部を設けた、
ことを特徴とするものである。
【考案の効果】
【０００７】
本考案の非常信号等によれば、片手で握持出来てスイッチのＯＮ、ＯＦＦが出来、また点滅、点灯などの操作をすることが出来、しかも大型の非常信号灯に匹敵する明るさで発光でき、さらには底面にマグネットが付いていて、車両やガードレールに保持することが出来るなど優れた効果を奏する。
【図面の簡単な説明】
【０００８】
【図１】本考案の非常信号灯の構成を説明する説明図である。
【図２】本考案の非常信号灯の使用状態を説明する説明図である。
【考案を実施するための形態】
【０００９】
本考案による非常信号灯は、円柱状をなす握り部１と、該握り部１の先端に設けられた前記握り部１の径より大径円柱状に形成した発光部２と、握り部１の後端面に設けられた磁石部３とを備えて構成されている。
そして、発光部２は、内部に、例えば赤く発光するＬＥＤが取り付けられ、その外側が合成樹脂部材などで形成された被覆部４で被覆されて構成されている。
【００１０】
握り部１内には、中空部が設けられており、該中空部内には乾電池などによる電源部と、該電源部からの電力で作動する電気回路と、電気回路をＯＮ、ＯＦＦし、さらには作動切り替えするスイッチ部とを有している。
【００１１】
さらに、握り部１の外周面には前記スイッチ部を操作する押圧操作部５が握り部１の上部方向に設けられている。そして、該押圧操作部５を、例えば、握持した片手の親指６で押圧することにより、簡単に電気回路を作動させ、ＯＮＮ、ＯＦＦ操作や、ＬＥＤの点滅、点灯操作などが行えるものとなっている。
【００１２】
さらに、前述の如く、握り部１の後端面には磁石部３が設けられており、該磁石部３により、簡単に車両やガードレールなどにこの非常信号灯を固定できるものとなっている。
【符号の説明】
【００１３】
１     握り部
２     発光部
３     磁石部
４     被覆部
５     押圧操作部
６     親指
【図１】
0003198471.tif 000003
【図２】
0003198471.tif 000004
(57)【要約】      （修正有）【課題】容易にネットの目詰まりを解決可能となる牡蠣養殖カゴを提供する。【解決手段】海面付近より海中に垂下され、牡蠣を海面養殖するための養殖カゴであって、上端及び下端に保形枠２０を備えネット３０が張着されると共に、上端及び下端の一方あるいは双方に開閉自在な開口部４１を備えた籠体４０と、籠体４０の中央部に取付けられる浮揚体５０とにより成る。【選択図】図１
0003198414.tif 000002
【実用新案登録請求の範囲】
【請求項１】
海面付近より海中に垂下され、牡蠣を海面養殖するための養殖カゴであって、
上端及び下端に保形枠（２０）を備えネット（３０）が張着されると共に、上端及び下端の一方あるいは双方に開閉自在な開口部（４１）を備えた籠体（４０）と、
籠体（４０）の中央部に取付けられる浮揚体（５０）と、
により成る牡蠣養殖カゴ。
【考案の詳細な説明】
【技術分野】
【０００１】
本考案は牡蠣の養殖に用いられる養殖カゴに関し、より詳しくは海面付近より海中に垂下され、牡蠣を集約的に海面養殖するための養殖カゴに関する。
【背景技術】
【０００２】
従来の日本における牡蠣養殖は、ホタテや牡蠣の貝殻を海に垂らし、付着した種牡蠣をそのまま育てる方法が一般的であった。これは、日本では剥き身での販売が主であり、牡蠣の見た目や大きさのバラつきは問題になることは稀であったことによる。
【０００３】
しかし、昨今オイスターバーなどで牡蠣を生食することが多く、牡蠣は殻付きで提供されることから、見た目の美しさも要求される事態となっている。
【０００４】
そこで、種牡蠣は付着対象の貝殻等から剥がされ、大きさごとに選別され、専用の養殖カゴの中で養殖する、いわゆるフランス式牡蠣養殖法が広く行われ始めている。かかる方法によれば、形と大きさが整ったブランド牡蠣が生産可能であるからである。
【０００５】
特許文献１には、水中を浮遊するゴミやスラッジの侵入を防止可能な養殖カゴが開示されている。
【先行技術文献】
【特許文献】
【０００６】
【特許文献１】特開２００１−２０７３５９号公報
【考案の概要】
【考案が解決しようとする課題】
【０００７】
上記フランス式牡蠣養殖法に用いられる養殖ネットは、海中に設置されている間に海草や藻、貝等が張り付き、結果網が目詰まりし、潮通しが悪くなるという問題点がある。
【０００８】
潮通しが悪くなるとネットの中で養殖されている牡蠣等が生育不良になり、死滅する恐れもある。
【０００９】
そこで、本考案は上記問題点を解決可能な、牡蠣養殖カゴを提供することを目的とする。
【課題を解決するための手段】
【００１０】
上記の目的を達成する本考案の構成は次の通りである。
【００１１】
海面付近より海中に垂下され、牡蠣を海面養殖するための養殖カゴであって、上端及び下端に保形枠を備えネットが張着されると共に、上端及び下端の一方あるいは双方に開閉自在な開口部を備えカゴ体と、カゴ体の中央部に取付けられる浮揚体とにより成る牡蠣養殖カゴ。
【考案の効果】
【００１２】
上記のように構成される本考案が、如何に作用して課題を解決するかを図面を参照しながら概説する。
【００１３】
図１に示されるように本考案に係る牡蠣養殖カゴ１０は、上端及び下端に存する保形枠２０・２０を囲む形状でネット３０が張着することで籠体４０を形成してある。
【００１４】
図２は実際の養殖時の態様を示すものであり、籠体４０内下端に牡蠣６０を置き、浮揚体５０が海面に浮くことにより養殖を行うものである。籠体４０の上部は縦方向の保形枠を備えていないことから、浮揚体５０上に潰れた状態で乗り、且つ、海面より上部に存することになる。
【００１５】
養殖工程において籠体４０の下部の水中に存するネット３０に、海草や藻、貝等が張り付き潮通しが悪くなった時には、牡蠣養殖カゴ１０全体を上下反転させ、内部に存する牡蠣も反転後の籠体４０内下端側に移動させる。反転させることで、潮通しがが悪くなった側のネット３０は、浮揚体５０上、すなわち海面より上部に存することになる。かかる状態に至ると、天日や風に晒されることで、張り付いた藻、貝等は死滅し、自然にネット３０から剥離されるものである。
【００１６】
かようにして、本考案によれば容易にネットの目詰まりを解消可能となるのである。
【図面の簡単な説明】
【００１７】
【図１】本考案の斜視図
【図２】使用状態を示す説明図
【図３】保形枠の斜視図
【図４】浮揚体の斜視図
【考案を実施するための形態】
【００１８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１９】
図１に示されるように本考案に係る牡蠣養殖カゴ１０は、上端及び下端に存する保形枠２０・２０を囲む形状でネット３０が張着することで籠体４０を形成してある。保形枠２０は上端及び下端以外の部位にも、付加して設けても良い。
【００２０】
ネット３０はナイロンあるいはポリエチレン等の糸を網んで形成されるものである。
【００２１】
籠体４０の上端及び下端の一方あるいは双方に、開閉自在な開口部４１が設けられている。開口部４１はネット３０の端縁に紐４２を通して、引締めることで閉じる形態に設けてある。むろん開口部の形状はかかる限定を受けるものではなく、ネット３０に線状の切欠きを設け、スライドファスナを取付けるといったものでも良い。
【００２２】
図３は保形枠２０を示すものである。屈曲自在な金属性棒体や合成樹脂を円環状に形成して成るものである。むろん円環状に限定を受けるものではなく、方形その他の形状でも構わない。
【００２３】
図４は浮揚体５０を示すものである。発泡樹脂体その他浮力を有する素材を切欠き５１を有する円環状に形成して成るものである。切欠き５１はネット３０を内部に挿通するために設けてある。むろん切欠きを有する円環状の形態に限定を受けるものではなく、浮揚体５０は浮力を有し、籠体４０を海面に浮揚させることが可能であれば任意形態で構わない。
【産業上の利用可能性】
【００２４】
本考案は、あこや貝の養殖その他魚介類の養殖にも利用可能なものである。
【符号の説明】
【００２５】
２０・・保形枠
３０・・ネット
４０・・籠体      ４１・・開口部      ４２・・紐
５０・・浮揚体
【図１】
0003198414.tif 000003
【図２】
0003198414.tif 000004
【図３】
0003198414.tif 000005
【図４】
0003198414.tif 000006
(57)【要約】      （修正有）【課題】ペットボトルのキャップ内面やペットボトル口部を容易に洗浄することができるペットボトル洗浄ブラシを提供する。【解決手段】略円柱形の基部１の一端に、ペットボトルキャップの内側を洗浄する適切な長さの毛束４，５，６を設け、もう一端に、ペットボトル口部内側を洗浄する略円柱形のスポンジ部２と、ペットボトル口部ネジ部１２を洗浄する毛束７を内側に向けて設けた略円筒形の基部３を取り付ける。【選択図】図１
0003198415.tif 000002
【実用新案登録請求の範囲】
【請求項１】
略円柱形の基部の一端に、ペットボトルキャップの内側を洗浄する適切な長さの毛束を設け、もう一端に、ペットボトル口部内側を洗浄する略円柱形のスポンジ部と、ペットボトル口部ネジ部を洗浄する毛束を内側に向けて設けた略円筒形の基部を取り付けた、ペットボトル洗浄ブラシ。
【考案の詳細な説明】
【技術分野】
【０００１】
この考案はペットボトルの洗浄ブラシに関する。
【背景技術】
【０００２】
従来、ペットボトルの洗浄において、外部は容易に洗浄可能で、内部も柄つきブラシなどで容易に洗浄できた。また、口飲みをした場合に雑菌が繁殖しやすい部分である、ネジ山などで複雑な形状のペットボトルキャップ口部外側やペットボトルキャップ内側も、従来の小型のブラシ、たとえば歯ブラシなどでこの部分を洗浄することは可能であった。
【考案の概要】
【考案が解決しようとする課題】
【０００３】
歯ブラシなどでこの部分を洗浄するにあたっては、片手でペットボトルやペットボトルキャップを保持したうえでもう一方の手でブラシを持ち、双方の位置関係を調節しつつ洗浄する手間が必要であった。
【課題を解決するための手段】
【０００４】
本考案は、上記課題を解決するために、略円柱状の基部の一端にペットボトルキャップの内側各部に先端が内接するように毛束を植毛し、基部のいま一方の一端にペットボトル口部を覆う大きさの略円筒形部分を設け、その内側からペットボトル口部ネジ部に外接するように内側に向けて毛束を植毛し、さらにその内部にペットボトル口部内側に内接するスポンジを基部に接続して設ける。
【考案の効果】
【０００５】
上記の課題解決手段により、ペットボトル口部においては本考案のスポンジ部を口部に差し込み回転させることにより、ペットボトル口部内側と口部ネジ部を同時かつ容易に洗浄することができる。また、ペットボトルキャップにおいては、本考案の基部の毛束が植毛された部分をペットボトルキャップ内側に差し込み回転させることにより、ペットボトルキャップ内側を容易に洗浄することができる。
【図面の簡単な説明】
【０００６】
【図１】本考案の実施例を示す断面図である。
【考案を実施するための形態】
【０００７】
図１を用いて、本考案実施例を説明する。なお、本図は断面図であるが、図面が煩雑になるのを避けるため、本考案断面図には斜線は施さず、ペットボトルキャップおよびペットボトル口部の断面図にのみ斜線を施している。
【０００８】
８はペットボトルキャップで、９はシールリップ、１０はキャップ内面ネジ部である。
【０００９】
１は略円柱形の本考案基部で、使用時に手指で保持する部分である。４はキャップ天面内側洗浄毛束、５はシールリップ近辺洗浄毛束、６はキャップ内面ネジ部洗浄毛束で、それぞれが対応する部位を洗浄するのに適した長さに設定する。
【００１０】
１１はペットボトル口部で、１２はペットボトル口部ネジ部である。
【００１１】
基部１に取り付けられたスポンジ部２はペットボトル口部１１の内側に収まる略円柱形であり、基部１に接続するペットボトル口部ネジ部洗浄毛束基部３は、使用時にはペットボトル口部を覆う大きさの略円筒形で、ペットボトル口部ネジ部洗浄毛束７を内側に向けて設ける。
【符号の説明】
【００１２】
１  基部
２  スポンジ部
３  ペットボトル口部ネジ部洗浄毛束基部
４  キャップ天面内側洗浄毛束
５  キャップシールリップ近辺洗浄毛束
６  キャップ内面ネジ部洗浄毛束
７  ペットボトル口部ネジ部洗浄毛束
８  ペットボトルキャップ
９  シールリップ
１０  キャップ内面ネジ部
１１  ペットボトル口部
１２  ペットボトル口部ネジ部
【図１】
0003198415.tif 000003
(57)【要約】      （修正有）【課題】へらフナ釣りの仕掛けにおいて、ウキのバランスの具合や餌の溶け具合を観察する時の透明なパイプの転倒を防止するねじ式止水蓋を提供する。【解決手段】ねじ式止水蓋１に、転倒防止のための任意の形の張り出し部２を設ける。張り出し部を設けたねじ式止水蓋を台として、その上にねじ込み式継ぎ手４を介して透明なパイプ５を取り付けることにより、透明なパイプが長くなっても、転倒を防止できる。張り出し部に、ねじ式止水蓋の取り外しを容易するため、指の通る任意の大きさの穴３を任意の箇所に任意の数設けるのが好ましい。【選択図】図３
0003198636.tif 000002
【実用新案登録請求の範囲】
【請求項１】
ねじ込み式止水蓋１に、転倒防止のための任意の形の張り出し部２を設ける。
任意の形の張り出し部２を設けたねじ式止水蓋１を台として、その上にねじ込み式継ぎ手４を介して透明なパイプ５を取り付けることにより、透明なパイプ５が長くなっても、転倒に対する安定が大変よくなる、任意の形の張り出部２を設けたねじ込み式止水蓋１。
ねじ込み式止水蓋１に設けた任意の形の張り出し部２に、任意の形の張り出し部２を設けたねじ込み式止水蓋１の取り外しを容易にするため、指の通る任意の大きさの穴３を任意の箇所に任意の数設ける。
【考案の詳細な説明】
【考案の開示】
【考案が解決しようとする課題】
【０００１】へらフナ釣りの仕掛けを設定する場合に、透明なパイプを床に立て、中に水を入れて、ウキのバランスの具合や餌の溶け具合を観察する時、透明なパイプの底になる部分に、掃除がしやすいように、ねじ込み式継ぎ手を介してねじ込み式止水蓋を取り付けるが、ねじ込み式止水蓋は透明なパイプの径より少し大きい程度であり、透明なパイプが長くなると安定が悪くなり、たおれて大変なことになる場合がある。
【課題を解決するための手段】
【０００２】上記課題を解決するため、ねじ込み式止水蓋の床に接する部分に、転倒防止のための、任意の形の張り出し部を設ける。
任意の形の張り出し部に、指の通る任意の大きさの穴を任意の箇所に任意の数設ける。
【考案の効果】
【０００３】ねじ込み式止水蓋に、転倒防止のための、任意の形の張り出し部を設ける。
任意の形の張り出し部を設けたねじ込み式止水蓋を台として、その上にねじ込み式継ぎ手を介して透明なパイプを取り付けることにより、透明なパイプが長くなっても、転倒に対する安定が大変よくなる。
また、ねじ込み式止水蓋に設けた任意の形の張り出し部に、指の通る任意の大きさの穴を任意の箇所に任意の数設けることにより、任意の形の張り出し部を設けたねじ込み式止水蓋の取り外しが容易にできる。
【図面の簡単な説明】
【０００４】
【図１】任意の形の張り出し部を設けたねじ込み式止水蓋の平面図である。
【図２】任意の形の張り出し部を設けたねじ込み式止水蓋の正面図である。
【図３】任意の形の張り出し部を設けたねじ込み式止水蓋とねじ込み式継ぎ手と透明なパイプの正面図である。
【符号の説明】
【０００５】１  ねじ込み式止水蓋
２  ねじ込み式止水蓋に設けた任意の形の張り出し部
３  任意の形の張り出し部に設けた穴
４  ねじ込み式継ぎ手
５  透明なパイプ
【図１】
0003198636.tif 000003
【図２】
0003198636.tif 000004
【図３】
0003198636.tif 000005
【手続補正書】
【提出日】平成27年4月22日(2015.4.22)
【手続補正１】
【補正対象書類名】実用新案登録請求の範囲
【補正対象項目名】全文
【補正方法】変更
【補正の内容】
【実用新案登録請求の範囲】
【請求項１】
透明なパイプ（５）の底になる部分にねじ込み式継ぎ手（４）を介して取り付けられ、透明なパイプ（５）を立てるための台となるねじ式止水蓋（１）であって、透明なパイプ（５）の転倒防止のための張り出し部（２）が設けられていることを特徴とするねじ式止水蓋（１）。
【請求項２】
透明なパイプ（５）の底になる部分にねじ込み式継ぎ手（４）を介して取り付けられ、透明なパイプ（５）を立てるための台となるねじ式止水蓋（１）であって、透明なパイプ（５）の転倒防止のための張り出し部（２）が設けられているとともに、張り出し部（２）に、ねじ式止水蓋（１）の取り外しを容易にするための任意の大きさの穴（３）を任意の箇所に任意の数設けられていることを特徴とするねじ式止水蓋（１）。